(57)【要約】      （修正有）【課題】組み立て容易な蓋ロック機構を提供する。【解決手段】鍋本体の開口部を上方から覆う鍋蓋の周縁部に設けられ、鍋本体の周縁部に係合することにより鍋蓋を鍋本体に固定するための係合部と、係合部に連結され、径方向Ｄ１に移動可能なアーム部１２と、アーム部１２に連結される第１端部１５ａおよび上下動可能に支持される第２端部１５ｂを有するリンク部材１５と、上方から押下されることにより第２端部１５ｂを押下する押しボタン１３と、を有する。リンク部材１５は、第２端部１５ｂが第１端部１５ａの上方且つ径方向内側にあり、係合部をロック状態にするための第１姿勢と、第１姿勢に比べて第２端部１５ｂが下方に移動し、係合部をロック解除状態にするための第２姿勢と、のいずれかの姿勢に、第２端部１５ｂの上下動に応じて姿勢変更可能に構成されている。【選択図】図３
0003188112.tif 000002
【実用新案登録請求の範囲】
【請求項１】
容器の開口部を上方から覆う蓋の周縁部に設けられ、前記容器の周縁部に係合することにより前記蓋を当該容器に固定するための係合部と、
前記係合部に連結され、径方向に移動可能なアーム部と、
前記アーム部に連結される第１端部および上下動可能に支持される第２端部を有するリンク部材と、
上方から押下されることにより前記第２端部を押下する押しボタンと、を備え、
前記リンク部材は、前記第２端部が前記第１端部の上方且つ径方向内側にあり、前記係合部をロック状態にするための第１姿勢と、前記第１姿勢に比べて前記第２端部が下方に移動し、前記係合部をロック解除状態にするための第２姿勢と、のいずれかの姿勢に、前記第２端部の上下動に応じて姿勢変更可能に構成されていることを特徴とする蓋ロック機構。
【請求項２】
前記アーム部と前記第１端部は、水平軸回りに回転可能にスナップフィット構造で連結されており、
前記第２端部には、側方に突出する対をなす突起が形成されており、
前記突起を上下方向にガイドするためのガイド溝を有する対をなす支持部材が、前記リンク部材を側方両側から挟み込む位置に配置されている請求項１に記載の蓋ロック機構。
【請求項３】
前記押しボタンが前記蓋の中央部に配置されており、
前記係合部、前記アーム部及び前記リンク部材はそれぞれ対をなし、前記押しボタンを中心として対称となる位置関係に配置されている、請求項１又は２に記載の蓋ロック機構。
【請求項４】
前記複数の係合部を互いに近接させる方向に付勢することによりロック状態にするための付勢部材を備え、
前記対をなすリンク部材は、前記第２姿勢にあるときに、前記双方の第２端部が、前記第１端部同士を結ぶ仮想線上又は当該仮想線よりも下方に位置することで前記付勢部材の付勢力が作用しても前記第２端部が上方に移動せずにロック解除状態が維持される、請求項３に記載の蓋ロック機構。
【請求項５】
ロック状態にするためのロック操作部を備え、
前記ロック操作部は、上方からの押下操作に基づき、前記第２姿勢にある前記リンク部材の前記第２端部を下方から押し上げ、前記リンク部材を前記第１姿勢に変更する、請求項１〜４のいずれかに記載の蓋ロック機構。
【請求項６】
請求項１〜５のいずれかに記載の蓋ロック機構と、前記容器としての鍋本体と、前記蓋としての鍋蓋と、を備える鍋。
【考案の詳細な説明】
【技術分野】
【０００１】
本考案は、容器の開口部を上方から覆う蓋を前記容器にロックするための蓋ロック機構及びこれを備えた鍋に関する。
【背景技術】
【０００２】
例えば圧力鍋などでは、容器（鍋本体）の開口部を上方から覆う蓋（鍋蓋）が、蓋ロック機構によって容器にロックされるようになっている。この種の圧力鍋の一例として、特許文献１には、２つの係合部（１１，１１）が容器の周縁部に係合されることにより、蓋が容器にロックされるような構成が開示されている。
【０００３】
この特許文献１には、蓋に設けられた第１操作部（押しボタン）を押下すれば、各々の係合部（１１，１１）が容器の周縁部に係合するロック状態にし、蓋に設けられた第２操作部（押しボタン）を押下すれば、容器の周縁部に対する各係合部（１１，１１）の係合状態が解除されるロック解除状態にするロック機構が開示されている。
【０００４】
具体的に蓋ロック機構は、対をなす係合部と、各々の係合部に連結され径方向に沿って移動可能な一対のアーム部と、押しボタンと、前記押しボタンから押下操作が入力される第１端および前記アーム部に連結される第２端を有し第１端と第２端の間に設定された回転軸回りに回転可能なリンクアームと、を有する。リンクアームは、左右にそれぞれ設けられて対をなし、第１端同士が連結されている。押しボタンが押下操作されると、リンクアームの第１端が押下され、リンクアームが回転軸回りに回転し、第２端が径方向内側へ移動する。これに伴い、アーム部が係合部と一体に径方向内側へ移動し、ロック状態となる。
【先行技術文献】
【特許文献】
【０００５】
【特許文献１】登録実用新案第３１６１８３９号公報
【考案の概要】
【考案が解決しようとする課題】
【０００６】
特許文献１では、押しボタンの押下操作を径方向に沿った直線動作に変換するための対をなすリンクアームが回転可能に支持されていると共に、リンクアーム同士も連結されている。よって、組み付けの際には、リンクアームとアーム部の連結、リンクアーム同士の連結、リンクアームの回転軸への取り付け、というように少なくとも三箇所に取付作業が必要となってしまう。
【０００７】
本考案は、このような課題に着目してなされたものであって、その目的は、組み立て容易な蓋ロック機構及びそれを備えた蓋を提供することである。
【課題を解決するための手段】
【０００８】
本考案は、かかる目的を達成するために、次のような手段を講じたものである。
【０００９】
すなわち、本考案の蓋ロック機構は、容器の開口部を上方から覆う蓋の周縁部に設けられ、前記容器の周縁部に係合することにより前記蓋を当該容器に固定するための係合部と、前記係合部に連結され、径方向に移動可能なアーム部と、前記アーム部に連結される第１端部および上下動可能に支持される第２端部を有するリンク部材と、上方から押下されることにより前記第２端部を押下する押しボタンと、を備え、前記リンク部材は、前記第２端部が前記第１端部の上方且つ径方向内側にあり、前記係合部をロック状態にするための第１姿勢と、前記第１姿勢に比べて前記第２端部が下方に移動し、前記係合部をロック解除状態にするための第２姿勢と、のいずれかの姿勢に、前記第２端部の上下動に応じて姿勢変更可能に構成されていることを特徴とする。
【００１０】
このように、ロック状態にするための第１姿勢と、ロック解除状態にするための第２姿勢とのいずれかの姿勢に姿勢変更可能にリンク部材を構成しているので、押しボタンとアーム部の間に単一のリンク部材を設けるだけで、ロック動作を実現可能となる。それでいて、リンク部材は、第１端部及び第２端部の２箇所で支持されるので、従来のように回転軸を含む３点組付けに比べて、組み立てを容易にすることが可能となる。
【００１１】
組み立てをより容易にするためには、前記アーム部と前記第１端部は、水平軸回りに回転可能にスナップフィット構造で連結されており、前記第２端部には、側方に突出する対をなす突起が形成されており、前記突起を上下方向にガイドするためのガイド溝を有する対をなす支持部材が、前記リンク部材を側方両側から挟み込む位置に配置されていることが好ましい。
【００１２】
力のバランスを良好にして動作が良好なロック機構を実現するためには、前記押しボタンが前記蓋の中央部に配置されており、前記係合部、前記アーム部及び前記リンク部材はそれぞれ対をなし、前記押しボタンを中心として対称となる位置関係に配置されていることが好ましい。
【００１３】
操作性を向上させるためには、前記複数の係合部を互いに近接させる方向に付勢することによりロック状態にするための付勢部材を備え、前記対をなすリンク部材は、前記第２姿勢にあるときに、前記双方の第２端部が、前記第１端部同士を結ぶ仮想線上又は当該仮想線よりも下方に位置することで前記付勢部材の付勢力が作用しても前記第２端部が上方に移動せずにロック解除状態が維持されることが好ましい。
【００１４】
適切にロック状態にするためには、ロック状態にするためのロック操作部を備え、前記ロック操作部は、上方からの押下操作に基づき、前記第２姿勢にある前記リンク部材の前記第２端部を下方から押し上げ、前記リンク部材を前記第１姿勢に変更することが好ましい。
【００１５】
本考案の好適な適用例として、上記蓋ロック機構と、前記容器としての鍋本体と、前記蓋としての鍋蓋と、を備える鍋が挙げられる。
【図面の簡単な説明】
【００１６】
【図１】本考案の実施形態に係る蓋ロック機構及びそれを備えた鍋を示す平面図。
【図２Ａ】ロック状態におけるロック機構を示す断面図。
【図２Ｂ】ロック解除状態におけるロック機構を示す断面図。
【図３】ロック機構を示す拡大斜視図。
【図４】ロック操作部を示す断面図。
【考案を実施するための形態】
【００１７】
以下、本考案に係る蓋ロック機構及びそれを備えた鍋の好適な実施形態について、図面を参照して説明する。
【００１８】
図１、図２Ａ及び図２Ｂに示すように、鍋は、容器としての鍋本体２と、この鍋本体２の開口部を上方から覆う鍋蓋３と、鍋蓋３を鍋本体２に固定するための蓋ロック機構１と、を備えている。本実施形態における鍋は、例えば圧力鍋であって、鍋蓋３の周縁部に設けられたパッキン（図示せず）を介して鍋本体２の開口部が鍋蓋３により密閉された状態で、鍋本体２を加熱することにより、当該鍋本体２の内部の圧力を上昇させることができる。
【００１９】
鍋蓋３の周縁部には、２つの係合部１１が取り付けられている。これら係合部１１は、鍋蓋３の周縁部の形状に対応する円弧状に形成されているとともに、断面がＵ字状に形成されており、鍋本体２の周縁部と鍋蓋３の周縁部とを上下に挟み込むことができる。対をなす係合部１１は、鍋蓋３の中心部に対して対称となる位置関係に配置されている。各々の係合部１１が鍋本体２の周縁部に係合されることにより、鍋蓋３を鍋本体２に固定することができる。
【００２０】
各々の係合部１１には、鍋蓋３の中央部から径方向Ｄ１に延びるアーム部１２がそれぞれ連結されている。各アーム部１２は、図３に示すように、鍋蓋３の中央部において互いの端を突き合わせて直線状に配置されており、当該直線上に沿って径方向Ｄ１にスライド移動可能に取り付けられている。
【００２１】
具体的には、図２Ａ及び図３に示すように、各アーム部１２を径方向Ｄ１に沿ってそれぞれ内側（鍋蓋３の中央部側）にスライドさせることにより、各係合部１１が鍋本体２の周縁部に係合するロック状態とし、鍋蓋３を鍋本体２に固定することができる。一方、図２Ｂ及び図３に示すように、各アーム部１２を径方向Ｄ１に沿ってそれぞれ外側（鍋蓋３の周縁部側）にスライドさせることにより、鍋本体２の周縁部に対する係合部１１の係合状態が解除されたロック解除状態とし、鍋蓋３を鍋本体２から取り外すことができる。
【００２２】
各々のアーム部１２には、図３に示すように、リンク部材１５が連結されている。リンク部材１５は、板状をなし、アーム部１２に連結される第１端部１５ａ及び上下動可能に支持される第２端部１５ｂを有する。同図に示すように、アーム部１２と第１端部１５ａは、水平軸回りに回転可能にスナップフィット構造で連結されている。スナップフィット構造は、金属やプラスチックなどの結合に用いられる機械的接合法の一種であり、材料の弾性を利用して嵌め込むことにより固定する構造をいう。この構造によって、接着剤やネジなどの締着具を使用せずに組付け可能となる。具体的には、図３に示すように、第１端部１５ａには、側方に突出する円柱突起が形成されており、アーム部１２には、円柱突起を保持する保持部が形成されている。保持部又は円柱突起が弾性変形することで、はめ込みを可能にしてある。
【００２３】
また、リンク部材１５の第２端部１５ｂには、側方に突出する対をなす円柱突起１５ｔが形成されている。リンク部材１５を側方両側から挟み込む位置には、対をなす支持部材１６が配置されている。支持部材１６は、上記円柱突起１５ｔを上下方向にガイドするためのガイド溝１６ｍを有する。これにより、リンク部材１５は、図２Ａに示す第１姿勢と、図２Ｂに示す第２姿勢と、のいずれかの姿勢に第２端部１５ｂの上下動に応じて姿勢変更可能に構成されている。第１姿勢は、図２Ａ及び図３に示すように、第２端部１５ｂが第１端部１５ａの上方且つ径方向内側にあり、係合部１１をロック状態にするための姿勢である。第２姿勢は、図２Ｂに示すように、第１姿勢に比べて第２端部１５ｂが下方に移動し、係合部１１をロック解除状態にするための姿勢である。
【００２４】
図３に示すように、複数の係合部１１を互いに近接させる方向に付勢することによりロック状態にするための付勢部材１７が設けられている。本実施形態において付勢部材１７には、コイルバネを用いている。上記対をなすリンク部材１５は、図２Ｂに示す第２姿勢にあるときに、双方の第２端部１５ｂが、第１端部１５ａ同士を結ぶ仮想線Ｌ上又は仮想線Ｌよりも下方に位置することで付勢部材１７の付勢力が作用しても第２端部１５ｂが上方に移動せずにロック解除状態が維持される。
【００２５】
鍋蓋３の中央部には、図１に示すように、上方から押下可能な押しボタン１３が設けられている。この押しボタン１３は、上方から押圧されることによりリンク部材１５の第２端部１５ｂを押下する。すなわち、この押しボタン１３は、リンク部材１５に作用し、各アーム部１２を径方向Ｄ１に沿って外側にスライドさせて、各係合部１１をロック解除状態にするためのロック解除ボタンである。
【００２６】
鍋蓋３の中央部には、図１及び図４に示すように、ロック状態にするためのロック操作部１４が設けられている。ロック操作部１４は、上方からの押下操作に基づき、第２姿勢にあるリンク部材１５の第２端部１５ｂを下方から押し上げ、リンク部材１５を第１姿勢に変更する。具体的には、ロック操作部１４は、上方から押下可能なボタン部１４ａと、ボタン部１４ａの下降動作を受けて、上方動作に変換するシーソー部１４ｂとを有する。シーソー部１４ｂの先端は、図３に示すように、リンク部材１５の第２端部１５ｂの下方に位置している。
【００２７】
上記のように、係合部１１、アーム部１２、ボタン１３、ロック操作部１４、リンク部材１５、支持部材１６及び付勢部材１７は、蓋ロック機構１を構成している。
【００２８】
以上のように本実施形態の蓋ロック機構１は、鍋本体２（容器）の開口部を上方から覆う鍋蓋３（蓋）の周縁部に設けられ、鍋本体２の周縁部に係合することにより鍋蓋３を鍋本体２に固定するための係合部１１と、係合部１１に連結され、径方向Ｄ１に移動可能なアーム部１２と、アーム部１２に連結される第１端部１５ａおよび上下動可能に支持される第２端部１５ｂを有するリンク部材１５と、上方から押下されることにより第２端部１５ｂを押下する押しボタン１３と、を備える。リンク部材１５は、第２端部１５ｂが第１端部１５ａの上方且つ径方向内側にあり、係合部１１をロック状態にするための第１姿勢と、第１姿勢に比べて第２端部１５ｂが下方に移動し、係合部１１をロック解除状態にするための第２姿勢と、のいずれかの姿勢に、第２端部１５ｂの上下動に応じて姿勢変更可能に構成されている。
【００２９】
このように、ロック状態にするための第１姿勢と、ロック解除状態にするための第２姿勢とのいずれかの姿勢に姿勢変更可能にリンク部材１５を構成しているので、押しボタン１３とアーム部１２の間に単一のリンク部材１５を設けるだけで、ロック動作を実現可能となる。それでいて、リンク部材１５は、第１端部１５ａ及び第２端部１５ｂの２箇所で支持されるので、従来のように回転軸を含む３点組付けに比べて、組み立てを容易にすることが可能となる。
【００３０】
本実施形態では、アーム部１２と第１端部１５ａは、水平軸回りに回転可能にスナップフィット構造で連結されている。第２端部１５ｂには、側方に突出する対をなす円柱突起１５ｔが形成されている。円柱突起１５ｔを上下方向にガイドするためのガイド溝１６ｍを有する対をなす支持部材１６が、リンク部材１５を側方両側から挟み込む位置に配置されている。
【００３１】
このように、アーム部１２と第１端部１５ａは、スナップフィット構造で連結されており、更に、リンク部材１５を側方両側から挟み込む位置に支持部材１６を配置することにより、第２端部１５ｂを上下動可能に支持するので、ネジやナットと言った締着具を用いなくてもよく、組み立てを容易にすることが可能となる。
【００３２】
本実施形態では、押しボタン１３が鍋蓋３の中央部に配置されている。係合部１１、アーム部１２及びリンク部材１５はそれぞれ対をなし、押しボタン１３を中心として対称となる位置関係に配置されている。
【００３３】
このように、蓋ロック機構１を構成する各部材が、押しボタン１３を中心として対称となる位置関係であるので、力のバランスを良好にして動作が良好なロック機構を実現することが可能となる。
【００３４】
本実施形態では、複数の係合部１１を互いに近接させる方向に付勢することによりロック状態にするための付勢部材１７を備える。対をなすリンク部材１５は、第２姿勢にあるときに、双方の第２端部１５ｂが、第１端部１５ａ同士を結ぶ仮想線上又は仮想線よりも下方に位置することで付勢部材１７の付勢力が作用しても第２端部１５ｂが上方に移動せずにロック解除状態が維持される。
【００３５】
この構成によれば、対をなす第２端部１５ｂが、第１端部１５ａ同士を結ぶ仮想線上又は仮想線よりも下方に位置するまで押しボタン１３を押下しなければならず、ロック解除状態が不完全であれば、付勢部材１７によってロック状態へ付勢される。したがって、ロック解除状態となっているか否かが分かりやすく、操作性を向上させることが可能となる。
【００３６】
本実施形態では、ロック状態にするためのロック操作部１４を備え、ロック操作部１４は、上方からの押下操作に基づき、第２姿勢にあるリンク部材１５の第２端部１５ｂを下方から押し上げ、リンク部材１５を第１姿勢に変更する。この構成によれば、適切にロック状態にすることができる。
【００３７】
上記蓋ロック機構の好適な適用例としては、上記蓋ロック機構１と、容器としての鍋本体２と、蓋としての鍋蓋３と、を備える鍋が挙げられる。
【００３８】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。各部の具体的な構成は、上述した実施形態のみに限定されるものではなく、本考案の趣旨を逸脱しない範囲で種々変形が可能である。
【符号の説明】
【００３９】
２…鍋本体（容器）
３…鍋蓋（蓋）
１１…係合部
１２…アーム部
１３…押しボタン
１４…ロック操作部
１５…リンク部材
１５ａ…第１端部
１５ｂ…第２端部
１５ｔ…円柱突起（突起）
１６…支持部材
１６ｍ…ガイド溝
１７…付勢部材
Ｄ１…径方向
【図１】
0003188112.tif 000003
【図２Ａ】
0003188112.tif 000004
【図２Ｂ】
0003188112.tif 000005
【図３】
0003188112.tif 000006
【図４】
0003188112.tif 000007
【手続補正書】
【提出日】平成25年10月25日(2013.10.25)
【手続補正１】
【補正対象書類名】実用新案登録請求の範囲
【補正対象項目名】全文
【補正方法】変更
【補正の内容】
【実用新案登録請求の範囲】
【請求項１】
容器の開口部を上方から覆う蓋の周縁部に設けられ、前記容器の周縁部に係合することにより前記蓋を当該容器に固定するための係合部と、
前記係合部に連結され、径方向に移動可能なアーム部と、
前記アーム部に連結される第１端部および上下動可能に支持される第２端部を有するリンク部材と、
上方から押下されることにより前記第２端部を押下する押しボタンと、を備え、
前記アーム部と前記第１端部は、水平軸回りに回転可能に連結されており、
前記第２端部には、側方に突出する対をなす突起が形成されており、
前記突起を上下方向にガイドするためのガイド溝を有する対をなす支持部材が、前記リンク部材を側方両側から挟み込む位置に配置されており、
前記リンク部材は、前記第２端部が前記第１端部の上方且つ径方向内側にあり、前記係合部をロック状態にするための第１姿勢と、前記第１姿勢に比べて前記第２端部が下方に移動し、前記係合部をロック解除状態にするための第２姿勢と、のいずれかの姿勢に、前記第２端部の上下動に応じて姿勢変更可能に前記支持部材に支持されていることを特徴とする蓋ロック機構。
【請求項２】
前記アーム部と前記第１端部は、水平軸回りに回転可能にスナップフィット構造で連結されている請求項１に記載の蓋ロック機構。
【請求項３】
前記押しボタンが前記蓋の中央部に配置されており、
前記係合部、前記アーム部及び前記リンク部材はそれぞれ対をなし、前記押しボタンを中心として対称となる位置関係に配置されている、請求項１又は２に記載の蓋ロック機構。
【請求項４】
前記複数の係合部を互いに近接させる方向に付勢することによりロック状態にするための付勢部材を備え、
前記対をなすリンク部材は、前記第２姿勢にあるときに、前記双方の第２端部が、前記第１端部同士を結ぶ仮想線上又は当該仮想線よりも下方に位置することで前記付勢部材の付勢力が作用しても前記第２端部が上方に移動せずにロック解除状態が維持される、請求項３に記載の蓋ロック機構。
【請求項５】
ロック状態にするためのロック操作部を備え、
前記ロック操作部は、上方からの押下操作に基づき、前記第２姿勢にある前記リンク部材の前記第２端部を下方から押し上げ、前記リンク部材を前記第１姿勢に変更する、請求項１〜４のいずれかに記載の蓋ロック機構。
【請求項６】
請求項１〜５のいずれかに記載の蓋ロック機構と、前記容器としての鍋本体と、前記蓋としての鍋蓋と、を備える鍋。